(57)【要約】【課題】  通気部材の位置と外壁部材の位置との水平方向の調整が自在な軒先換気構造体を提供する。【解決手段】  軒先換気構造体１１は、通気部材１５と、外壁７２に取り付けられる外壁部材３７とから構成されている。通気部材１５は、傾斜部１７と、傾斜部１７の下方に接続された軒先部１９と、延出部２０とを含む。一方、外壁部材３５は、外壁７２に取り付けられる外壁固定部３７と、外壁固定部３７に接続され、軒先部１９に対向する軒先対向部３８とを含む。又、軒先対向部３８の一部は折り曲げられて、屋根材の短手方向の断面がＵ字形状の受け部３９が形成されている。そして延出部２０は受け部３９に対し、受け部３９の内方を摺動自在に移動するように構成されている。これにより、通気部材１５に対して外壁部材３７を水平方向にスライドさせて、通気部材１５の位置と外壁部材３５との位置との水平方向の調整を行うことができる。【選択図】      図１７
2015218432.tif 000002
【特許請求の範囲】
【請求項１】
屋根材と外壁とからなる軒先部分に設置する軒先換気構造体であって、
前記屋根材に取り付けられ、通気機能を有する通気部材と、
前記外壁に取り付けられた外壁部材とを備え、
前記通気部材の一部と前記外壁部材の一部とが、水平方向にスライド自在に係合する、軒先換気構造体。
【請求項２】
前記外壁部材は、前記外壁に取り付けられる前に前記通気部材に保持されるように前記通気部材の一部と前記外壁部材の一部とが係合する、請求項１記載の軒先換気構造体。
【請求項３】
前記通気部材は、前記外壁側に向かって延びる平板状の延出部を含み、
前記外壁部材は、前記屋根材の短手方向の断面がコの字形状の受け部を含み、
前記延出部は、前記受け部に対し、前記受け部の内方を摺動自在に移動する、請求項２記載の軒先換気構造体。
【請求項４】
前記通気部材は、鋼板を折り曲げて形成され、前記屋根材に対して平行状態で幅方向に向かって斜め下方に延びる傾斜部と、前記傾斜部の下方側に接続された軒先部とを含み、
前記延出部は、前記軒先部の一部を折り曲げて形成され、
前記外壁部材は、鋼板を折り曲げて形成され、前記外壁に取り付けられる外壁固定部と、前記外壁固定部に接続され、前記軒先部に対向する軒先対向部とを含み、
前記受け部は、前記軒先対向部の一部を折り曲げて形成される、請求項３記載の軒先換気構造体。
【発明の詳細な説明】
【技術分野】
【０００１】
この発明は軒先換気構造体に関し、特に、家屋における小屋裏空間の自然換気を図るために、軒先部分に取り付けられる軒先換気構造体に関するものである。
【背景技術】
【０００２】
図２０は特許文献１で開示された従来の軒先換気構造体の軒先部分への取付状態を示す概略断面図である。
【０００３】
図を参照して、軒先換気構造体８１は、屋根材８２と鼻隠し８８とからなる軒先部分８３に設置されている。軒先換気構造体８１は、鋼板を折り曲げて形成された通気部材８４を中心として構成され、通気部材８４内には通気部品８５が取り付けられている。又、通気部材８４の一部は平板状に折り曲げられることで鍔部８６が形成されている。
【０００４】
軒先換気構造体８１の取付状態にあっては、鍔部８６の先端は鼻隠し８８に当接しており、鍔部８６の上面側にはシール部材８７が取り付けられている。又、鍔部８６の下面の先端側部分と鼻隠し８８との間はシーリング材８９で被覆されている。そのため、軒先換気構造体８１を備える家屋に火災が発生した場合でも、鋼板よりなる鍔部８６の先端が鼻隠し８８に当接しているために、外気が不用意に小屋裏空間９０に侵入する虞がなくなる。
【先行技術文献】
【特許文献】
【０００５】
【特許文献１】特開２０１３−６０７４６号公報
【発明の概要】
【発明が解決しようとする課題】
【０００６】
ところで、家屋を建設する際には、屋根の施工及び外壁の施工はそれぞれ異なる業者が行うのが一般的である。そして多くの場合、屋根の施工後に外壁の施工が行われることから、上述した軒先換気構造体８１は一般に屋根業者によって取り付けられている。その際、屋根業者は壁業者と十分な打ち合わせをした上で設計図に基づいて通気部材８４を取り付けるが、それでも施工上の誤差が発生してしまう虞がある。そうすると、後工程となる外壁の施工において、上述した鍔部８６が鼻隠し８８に当接しない、すなわち軒先換気構造体８１の通気部材８４の位置と鼻隠し８８の位置とが、水平方向において合わなくなってしまう問題が生じる虞がある。
【０００７】
この発明は、上記のような課題を解決するためになされたもので、通気部材の位置と外壁部材の位置との水平方向の調整が自在な軒先換気構造体を提供することを目的とする。
【課題を解決するための手段】
【０００８】
上記の目的を達成するために、請求項１記載の発明は、屋根材と外壁とからなる軒先部分に設置する軒先換気構造体であって、屋根材に取り付けられ、通気機能を有する通気部材と、外壁に取り付けられた外壁部材とを備え、通気部材の一部と外壁部材の一部とが、水平方向にスライド自在に係合するものである。
【０００９】
このように構成すると、通気部材の位置と外壁部材の位置との水平方向の調整が自在となる。
【００１０】
請求項２記載の発明は、請求項１記載の発明の構成において、外壁部材は、外壁に取り付けられる前に通気部材に保持されるように通気部材の一部と外壁部材の一部とが係合するものである。
【００１１】
このように構成すると、外壁部材は通気部材に一体的に保持される。
【００１２】
請求項３記載の発明は、請求項２記載の発明の構成において、通気部材は、外壁側に向かって延びる平板状の延出部を含み、外壁部材は、屋根材の短手方向の断面がコの字形状の受け部を含み、延出部は、受け部に対し、受け部の内方を摺動自在に移動するものである。
【００１３】
このように構成すると、外壁部材のスライド動作が安定する。
【００１４】
請求項４記載の発明は、請求項３記載の発明の構成において、通気部材は、鋼板を折り曲げて形成され、屋根材に対して平行状態で幅方向に向かって斜め下方に延びる傾斜部と、傾斜部の下方側に接続された軒先部とを含み、延出部は、軒先部の一部を折り曲げて形成され、外壁部材は、鋼板を折り曲げて形成され、外壁に取り付けられる外壁固定部と、外壁固定部に接続され、軒先部に対向する軒先対向部とを含み、受け部は、軒先対向部の一部を折り曲げて形成されるものである。
【００１５】
このように構成すると、延出部及び受け部の強度が向上する。
【発明の効果】
【００１６】
以上説明したように、請求項１記載の発明は、通気部材の位置と外壁部材の位置との水平方向の調整が自在となるため、設置勝手が向上する。
【００１７】
請求項２記載の発明は、請求項１記載の発明の効果に加えて、外壁部材は通気部材に一体的に保持されるため、外壁部材が紛失される虞がない。
【００１８】
請求項３記載の発明は、請求項２記載の発明の効果に加えて、外壁部材のスライド動作が安定するため、外壁部材の水平方向の調整が容易となる。
【００１９】
請求項４記載の発明は、請求項３記載の発明の効果に加えて、延出部及び受け部の強度が向上するため、延出部と受け部との係合状態が安定する。
【図面の簡単な説明】
【００２０】
【図１】この発明の第１の実施の形態による軒先換気構造体の外観形状を示した平面図である。
【図２】図１で示した軒先換気構造体の屋根材の短手方向の拡大側面図である。
【図３】図１で示したＩＩＩ−ＩＩＩラインから見た拡大断面図である。
【図４】図２で示したＩＶ−ＩＶラインから見た縮小図である。
【図５】図２で示したＶ−Ｖラインから見た縮小図である。
【図６】図２で示したＶＩ−ＶＩラインから見た縮小図である。
【図７】図２で示した軒先換気構造体の分解図である。
【図８】図２で示した第１の通気部品の外観形状を概略的に示す拡大斜視図である。
【図９】図２で示した第２の通気部品の外観形状を概略的に示す拡大斜視図である。
【図１０】図２で示した軒先部に装着された第１の通気部品及び第２の通気部品の外観形状を概略的に示す拡大斜視図である。
【図１１】図１で示した軒先換気構造体の軒先部分への取付工程を示す概略断面図である。
【図１２】図１１で示す取付工程に続く他の取付工程を示す概略断面図である。
【図１３】図１２で示す取付工程に続く更に他の取付工程を示す概略断面図である。
【図１４】図１３で示す取付工程に続く更に他の取付工程を示す概略断面図である。
【図１５】図１４で示す取付工程に続く更に他の取付工程を示す概略断面図である。
【図１６】図１５で示す取付工程に続く更に他の取付工程を示す概略断面図である。
【図１７】図１６で示す取付工程に続く更に他の取付工程を示す概略断面図である。
【図１８】この発明の第２の実施の形態による軒先換気構造体の軒先部分への取付工程の一部を示す概略断面図である。
【図１９】図１８に対応した図であって、熱膨張シーリングが膨張した後の軒先換気構造体の軒先部分への取付状態を示す概略断面図である。
【図２０】特許文献１で開示された従来の軒先換気構造体の軒先部分への取付状態を示す概略断面図である。
【発明を実施するための形態】
【００２１】
図１はこの発明の第１の実施の形態による軒先換気構造体の外観形状を示した平面図であり、図２は図１で示した軒先換気構造体の屋根材の短手方向の拡大側面図であり、図３は図１で示したＩＩＩ−ＩＩＩラインから見た拡大断面図であり、図４は図２で示したＩＶ−ＩＶラインから見た縮小図であり、図５は図２で示したＶ−Ｖラインから見た縮小図であり、図６は図２で示したＶＩ−ＶＩラインから見た縮小図であり、図７は図２で示した軒先換気構造体の分解図である。
【００２２】
これらの図を参照して、軒先換気構造体１１は、通気機能を有する通気部材１５及び外壁部材３５を中心として構成されている。尚、通気部材１５及び外壁部材３５共に、屋根材（図示せず）の長手方向に延びる形状を有している。
【００２３】
通気部材１５は、鋼板を折り曲げて形成され、屋根材（図示せず）に対して平行状態で幅方向に斜め下方に延びる傾斜部１７と、傾斜部１７の下方側に接続された軒先部１９とを含んでいる。尚、軒先部１９の一部は折り曲げられることで、平板状の延出部２０が形成されている。又、軒先部１９の短手方向の断面はＵ字形状に形成されており、軒先部１９の下面２２には、下面２２を軒先部１９の内方へ切り起こしてなる第１の開口２３が、屋根材（図示せず）の長手方向に所定間隔で複数形成されている。更に、軒先部１９のＵ字形状部分の中には、詳しくは後述する第１の通気部品４５及び第２の通気部品５１が、軒先部１９に対して脱着自在に装着されている。
【００２４】
外壁部材３５は、鋼板を折り曲げて形成され、外壁（図示せず）に取り付けられる外壁固定部３７と、外壁固定部３７に接続され、軒先部１９に対向する軒先対向部３８とを含んでいる。尚、軒先対向部３８の一部は折り曲げられることで、屋根材（図示せず）の短手方向の断面がコの字形状の受け部３９が形成されている。そして、上述した延出部２０は、受け部３９に対し、受け部３９の内方を摺動自在に移動するようにして、延出部２０と受け部３９とが、水平方向にスライド自在に係合するように構成されている。
【００２５】
図８は図２で示した第１の通気部品の外観形状を概略的に示す拡大斜視図であり、図９は図２で示した第２の通気部品の外観形状を概略的に示す拡大斜視図であり、図１０は図２で示した軒先部に装着された第１の通気部品及び第２の通気部品の外観形状を概略的に示す拡大斜視図である。
【００２６】
これらの図を参照して、第１の通気部品４５は、屋根材（図示せず）の長手方向に延び、軒先部１９の長手方向の長さとほぼ同一の長さを有している。又、第１の通気部品４５は、屋根材（図示せず）の短手方向の断面が逆Ｕ字形状に形成されており、軒先部１９に対して長手方向に挿入自在の形状を有している。更に、第１の通気部品４５の上面４６には、上面４６を第１の通気部品４５の内方（下方）へ切り起こしてなる第２の開口４７が、屋根材（図示せず）の長手方向に所定間隔で複数形成されている。
【００２７】
一方で、第２の通気部品５１も、第１の通気部品４５と同様に、屋根材（図示せず）の長手方向に延び、軒先部１９の長手方向の長さとほぼ同一の長さを有している。又、第２の通気部品５１も、屋根材（図示せず）の短手方向の断面が逆Ｕ字形状に形成されており、軒先部１９に対して長手方向に挿入自在の形状を有している。更に、第２の通気部品５１の上面５２には、上面５２を第２の通気部品５１の内方（下方）へ切り起こしてなる第３の開口５３が、屋根材（図示せず）の長手方向に所定間隔で複数形成されている。尚、軒先部１９の中で、第２の通気部品５１は、第３の開口５３が第１の通気部品４５の第２の開口４７から上方に対応して位置するようにして、第１の通気部品４５の上方に装着されている。
【００２８】
次に、図１で示した軒先換気構造体１１の軒先部分への取付について説明する。
【００２９】
図１１から図１７は、図１で示した軒先換気構造体の軒先部分への取付各工程を示す概略断面図である。
【００３０】
はじめに図１１を参照して、軒先換気構造体１１を軒先部分に取り付ける。取付にあっては、あらかじめ延出部２０と受け部３９とを係合させて、外壁部材３５が通気部材１５に一体的に保持された状態とする。この状態で、下方先端側に水切部材６１が取り付けられた屋根材下地６４に対して、軒先換気構造体１１を外方側から移動させる。それから、傾斜部１７が屋根材下地６４の一部及び水切部材６１の各々の上面を覆うと共に、傾斜部１７が屋根材下地６４に対して平行状態となるようにして、軒先換気構造体１１を取り付ける。
【００３１】
本実施の形態によれば、外壁部材３５が通気部材１５に一体的に保持された状態で軒先換気構造体１１を取り付けることができるので、取付過程で外壁部材３５を紛失する虞がない。
【００３２】
次に図１２を参照して、第１の通気部品４５を軒先部１９に対して長手方向に挿入して、軒先部１９の中に第１の通気部品４５を装着する。このとき、第１の通気部品４５の第２の開口４７が、軒先部１９の第１の開口２３から上方に対応して位置するように装着する。
【００３３】
それから、第２の通気部品５１を軒先部１９に対して長手方向に挿入して、第１の通気部品４５の上方に第２の通気部品５１を装着する。このとき、第２の通気部品５１の第３の開口５３が、第１の通気部品４５の第２の開口４７から上方に対応して位置するように装着する。
【００３４】
本実施の形態によれば、第１の通気部品４５及び第２の通気部品５１のそれぞれを軒先部１９に対して長手方向に挿入できるため、第１の通気部品４５及び第２の通気部品５１の装着に対して軒先部１９の上方のスペースが不要となると共に、第１の通気部品４５及び第２の通気部品５１の各々を容易に装着できる。
【００３５】
それから屋根材下地６４及び傾斜部１７の上面を覆うようにして、ルーフィング６５及び屋根材６６を順に設置する。
【００３６】
次に図１３、図１４及び図１５を参照して、外壁下地７０及び胴縁７１を順に設置する。それから外壁部材３５を通気部材１５から離れるように、胴縁７１側へと水平方向にスライドし、外壁固定部３７を胴縁７１に当接させる。
【００３７】
本実施の形態によれば、延出部２０は、受け部３９に対し、受け部３９の内方を摺動するので、上述のスライド動作は安定し、水平方向の調整を容易に行うことができる。又、受け部３９及び延出部２０の各々は、上述したように鋼板を折り曲げて形成されることで強度が向上しているため、受け部３９及び延出部２０の係合状態が安定している。
【００３８】
次に図１６及び図１７を参照して、外壁固定部３７が胴縁７１に当接している状態で、外壁固定部３７に外壁７２の内面が当接するようにして外壁７２を取り付ける。最後に軒先対向部３８と外壁７２の上端部の間の隙間にコーキング剤７４を充填し、軒先換気構造体１１の取付を終了する。
【００３９】
このようにして取り付けられた軒先換気構造体１１にあっては、第１の開口２３、第２の開口４７及び第３の開口５３を介して小屋裏空間５５の自然換気を図ることができる。
【００４０】
又、本実施の形態によれば、軒先部１９の中に第１の通気部品４５及び第２の通気部品５１が装着されることで、軒先換気構造体１１の防水性能が向上する。
【００４１】
図１８はこの発明の第２の実施の形態による軒先換気構造体の軒先部分への取付工程の一部を示す概略断面図である。
【００４２】
図を参照して、この実施の形態による軒先換気構造体の基本的な構造は、第１の実施の形態による軒先換気構造体と同様であるので、ここでは相違点を中心に説明する。
【００４３】
この実施の形態においては、軒先換気構造体３１の水平方向における延出部２０の長さ、及び、受け部３９の内方の長さをそれぞれｄ１、ｄ２とすると、ｄ１＞ｄ２に設定されている。これにより、軒先部１９と軒先対向部３８とが水平方向に最も近づいたときに、通気部材１５と外壁部材３５との接合部分には、軒先部１９、延出部２０及び軒先対向部３８により形成される、屋根材の短手方向の断面が逆Ｕ字形状のスペース（Ｓ）が残る。そして、このスペース（Ｓ）には、熱膨張シーリング３２が充填される。尚、熱膨張シーリング３２としては、例えば３Ｍ（登録商標）ファイヤーバリアー（３Ｍ社製）のように、３５０℃以上の高温になると熱に反応して６倍以上に膨張するシーリング材等の、汎用の熱膨張シーリング材を使用すれば良い。
【００４４】
尚、本実施の形態においては、更に、水切部材６１の下方先端側及び下面側、傾斜部１７の下方上面側、及び第１の通気部品４５及び第２の通気部品５１の各々の内方のそれぞれに熱膨張材３３ａ〜ｅを取り付けているが、熱膨張シーリング３２を少なくとも上述のスペース（Ｓ）に取り付ければ、後述する効果は発揮される。
【００４５】
図１９は図１８に対応した図であって、熱膨張シーリングが膨張した後の軒先換気構造体の軒先部分への取付状態を示す概略断面図である。
【００４６】
図を参照して、軒先換気構造体３１によれば、火災等が発生すると、その熱により熱膨張シーリング３２が膨張する。これによれば、膨張した熱膨張シーリング３２によって通気部材１５と外壁部材３５との接合部分を保護することができるので、第１の実施の形態の軒先換気構造体１１（図１７参照）と比較して、軒先換気構造体３１は耐火性が向上している。又、上述したように、接合部分の短手方向の断面は逆Ｕ字形状を有することで熱膨張シーリング３２の充填量は一定となるため、耐火機能は安定して発揮される。
【００４７】
尚、上記の各実施の形態では、通気部材は特定形状を有しているが、通気機能を有するものであれば他の形状であっても良い。
【００４８】
又、上記の各実施の形態では、外壁部材は特定形状を有しているが、外壁に取り付けられるものであれば他の形状であっても良い。
【００４９】
更に、上記の各実施の形態では、通気部材及び外壁部材それぞれの特定部分が係合する構成としているが、それぞれの他の部分がスライド自在に係合する構成としても良い。
【００５０】
更に、上記の各実施の形態では、延出部が、受け部に対し、受け部の内方を摺動自在に移動する構成としているが、通気部材の一部と外壁部材の一部とが水平方向にスライド自在に係合すれば、他の構成としても良い。
【００５１】
更に、上記の第１の実施の形態では、外壁部材が通気部材に一体的に保持された状態で通気部材を取り付けているが、通気部材を取り付けた後で、通気部材の一部と外壁部材の一部を係合させても良い。
【００５２】
更に、上記の各実施の形態では、通気部材は外壁部材を保持できる形状を有しているが、通気部材は外壁部材を保持できない形状であっても良い。
【００５３】
更に、上記の各実施の形態では、通気部材は特定の通気部品を有しているが、他の通気部品を有する構成であっても良い。
【００５４】
更に、上記の各実施の形態では、通気部品を複数有しているが、通気部品は１つでも良く、又、通気部品がない構成であっても良い。
【００５５】
更に、上記の各実施の形態では、延出部、受け部、及び軒先部各々の屋根材の短手方向の断面はそれぞれ特定形状を有しているが、これらは他の形状であっても良い。
【００５６】
更に、上記の各実施の形態では、屋根材に通気部材を取り付けた後で、軒先部に第１及び第２の通気部品のそれぞれを装着しているが、これらの通気部品を先に軒先部に装着してから通気部材を取り付けても良い。
【００５７】
更に、上記の各実施の形態では、傾斜部を含む通気部材とすることで、傾斜屋根に対応した軒先換気構造体としているが、通気部材の形状を変えることで、平坦屋根等の他の屋根に対応した軒先換気構造体としても良い。
【００５８】
更に、上記の各実施の形態では、通気部材及び外壁部材はそれぞれ鋼板を折り曲げて形成されているが、通気部材及び外壁部材の少なくとも一方が、鋼板の折り曲げ以外で形成されていても良い。
【符号の説明】
【００５９】
１１…軒先換気構造体
１５…通気部材
１７…傾斜部
１９…軒先部
２０…延出部
３５…外壁部材
３８…軒先対向部
３９…受け部
尚、各図中同一符号は同一又は相当部分を示す。
【図１】
2015218432.tif 000003
【図２】
2015218432.tif 000004
【図３】
2015218432.tif 000005
【図４】
2015218432.tif 000006
【図５】
2015218432.tif 000007
【図６】
2015218432.tif 000008
【図７】
2015218432.tif 000009
【図８】
2015218432.tif 000010
【図９】
2015218432.tif 000011
【図１０】
2015218432.tif 000012
【図１１】
2015218432.tif 000013
【図１２】
2015218432.tif 000014
【図１３】
2015218432.tif 000015
【図１４】
2015218432.tif 000016
【図１５】
2015218432.tif 000017
【図１６】
2015218432.tif 000018
【図１７】
2015218432.tif 000019
【図１８】
2015218432.tif 000020
【図１９】
2015218432.tif 000021
【図２０】
2015218432.tif 000022
【手続補正書】
【提出日】平成26年10月17日(2014.10.17)
【手続補正１】
【補正対象書類名】明細書
【補正対象項目名】０００８
【補正方法】変更
【補正の内容】
【０００８】
上記の目的を達成するために、請求項１記載の発明は、外壁の設置の前に取り付けられる屋根材と外壁とからなる軒先部分に設置する軒先換気構造体であって、屋根材に取り付けられ、通気機能を有する通気部材と、外壁に取り付けられる外壁部材とを備え、外壁部材は、外壁に取り付けられる前に通気部材に保持されるように通気部材の一部と外壁部材の一部とが水平方向にスライド自在に係合し、通気部材の一部は、外壁側に向かって延びる平板状の延出部を含み、外壁部材の一部は、屋根材の短手方向の断面がコの字形状の受け部と、受け部の下方に位置し外壁に取り付けられる外壁固定部とを含み、延出部は、受け部に対し、受け部の内方を摺動自在に移動することができるものである。
【手続補正２】
【補正対象書類名】明細書
【補正対象項目名】０００９
【補正方法】変更
【補正の内容】
【０００９】
このように構成すると、通気部材の位置と外壁部材の位置との水平方向の調整が自在となる。又、外壁部材は通気部材に一体的に保持される。更に、外壁部材のスライド動作が安定する。更に、軒先換気構造体の設置後に、外壁を取り付けることができる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
請求項２記載の発明は、請求項１記載の発明の構成において、通気部材は、鋼板を折り曲げて形成され、屋根材に対して平行状態で幅方向に向かって斜め下方に延びる傾斜部と、傾斜部の下方側に接続された軒先部とを含み、延出部は、軒先部の一部を折り曲げて形成され、外壁部材は、鋼板を折り曲げて形成され、外壁に取り付けられる外壁固定部と、外壁固定部に接続され、軒先部に対向する軒先対向部とを含み、受け部は、軒先対向部の一部を折り曲げて形成されるものである。
【手続補正８】
【補正対象書類名】明細書
【補正対象項目名】００１６
【補正方法】変更
【補正の内容】
【００１６】
以上説明したように、請求項１記載の発明は、通気部材の位置と外壁部材の位置との水平方向の調整が自在となるため、設置勝手が向上する。又、外壁部材は通気部材に一体的に保持されるため、外壁部材が紛失される虞がない。更に、外壁部材のスライド動作が安定するため、外壁部材の水平方向の調整が容易となる。更に、軒先換気構造体の設置後に、外壁を取り付けることができるため、利便性が向上する。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
請求項２記載の発明は、請求項１記載の発明の効果に加えて、延出部及び受け部の強度が向上するため、延出部と受け部との係合状態が安定する。
【手続補正１２】
【補正対象書類名】特許請求の範囲
【補正対象項目名】全文
【補正方法】変更
【補正の内容】
【特許請求の範囲】
【請求項１】
外壁の設置の前に取り付けられる屋根材と前記外壁とからなる軒先部分に設置する軒先換気構造体であって、
前記屋根材に取り付けられ、通気機能を有する通気部材と、
前記外壁に取り付けられる外壁部材とを備え、
前記外壁部材は、前記外壁に取り付けられる前に前記通気部材に保持されるように前記通気部材の一部と前記外壁部材の一部とが水平方向にスライド自在に係合し、
前記通気部材の一部は、前記外壁側に向かって延びる平板状の延出部を含み、
前記外壁部材の一部は、前記屋根材の短手方向の断面がコの字形状の受け部と、前記受け部の下方に位置し前記外壁に取り付けられる外壁固定部とを含み、
前記延出部は、前記受け部に対し、前記受け部の内方を摺動自在に移動することができる、軒先換気構造体。
【請求項２】
前記通気部材は、鋼板を折り曲げて形成され、前記屋根材に対して平行状態で幅方向に向かって斜め下方に延びる傾斜部と、前記傾斜部の下方側に接続された軒先部とを含み、
前記延出部は、前記軒先部の一部を折り曲げて形成され、
前記外壁部材は、鋼板を折り曲げて形成され、前記外壁に取り付けられる前記外壁固定部と、前記外壁固定部に接続され、前記軒先部に対向する軒先対向部とを含み、
前記受け部は、前記軒先対向部の一部を折り曲げて形成される、請求項１記載の軒先換気構造体。
【手続補正書】
【提出日】平成27年2月17日(2015.2.17)
【手続補正１】
【補正対象書類名】明細書
【補正対象項目名】０００８
【補正方法】変更
【補正の内容】
【０００８】
上記の目的を達成するために、請求項１記載の発明は、外壁の設置の前に取り付けられる屋根材と外壁とからなる軒先部分に、前記外壁の設置の前に前記屋根材に取り付けられる軒先換気構造体であって、屋根材に取り付けられ、通気機能を有する通気部材と、外壁に取り付けられる外壁部材とを備え、外壁部材は、外壁に取り付けられる前に通気部材に保持されるように通気部材の一部と外壁部材の一部とが水平方向にスライド自在に係合し、通気部材の一部は、外壁側に向かって延びる平板状の延出部を含み、外壁部材の一部は、屋根材の短手方向の断面がコの字形状の受け部と、受け部の下方に位置し外壁に取り付けられる外壁固定部とを含み、延出部は、受け部に対し、受け部の内方を摺動自在に移動することができるものである。
【手続補正２】
【補正対象書類名】特許請求の範囲
【補正対象項目名】全文
【補正方法】変更
【補正の内容】
【特許請求の範囲】
【請求項１】
外壁の設置の前に取り付けられる屋根材と前記外壁とからなる軒先部分に、前記外壁の設置の前に前記屋根材に取り付けられる軒先換気構造体であって、
前記屋根材に取り付けられ、通気機能を有する通気部材と、
前記外壁に取り付けられる外壁部材とを備え、
前記外壁部材は、前記外壁に取り付けられる前に前記通気部材に保持されるように前記通気部材の一部と前記外壁部材の一部とが水平方向にスライド自在に係合し、
前記通気部材の一部は、前記外壁側に向かって延びる平板状の延出部を含み、
前記外壁部材の一部は、前記屋根材の短手方向の断面がコの字形状の受け部と、前記受け部の下方に位置し前記外壁に取り付けられる外壁固定部とを含み、
前記延出部は、前記受け部に対し、前記受け部の内方を摺動自在に移動することができる、軒先換気構造体。
【請求項２】
前記通気部材は、鋼板を折り曲げて形成され、前記屋根材に対して平行状態で幅方向に向かって斜め下方に延びる傾斜部と、前記傾斜部の下方側に接続された軒先部とを含み、
前記延出部は、前記軒先部の一部を折り曲げて形成され、
前記外壁部材は、鋼板を折り曲げて形成され、前記外壁に取り付けられる前記外壁固定部と、前記外壁固定部に接続され、前記軒先部に対向する軒先対向部とを含み、
前記受け部は、前記軒先対向部の一部を折り曲げて形成される、請求項１記載の軒先換気構造体。